(57)【要約】      （修正有）【課題】ホームセキュリティ及び省エネルギーを具える無線セキュリティ装置を提供する。【解決手段】ホストコンピュータ２０と、少なくとも１つのセンサ３０を含む。ホストコンピュータ２０が処理ユニット２１を設け、処理ユニット２１が判断モジュール２１１を含み、判断モジュール２１１内にデータストレージモジュールを含む。ホストコンピュータ２０内に出力／入力装置２３、コンテキスト切り換えモジュール２２、無線トランシーバモジュール２６、データ設定判断モジュール２４及び動作設定モジュール２５を含む。各センサ３０内に無線トランシーバモジュール３３を設け、各センサ３０の無線トランシーバモジュール３３及びホストコンピュータ２０の無線トランシーバモジュール２６が情報を無線伝送できる。各センサ３０内に処理ユニット３１を設け、処理ユニット３１内にデータストレージモジュール３２を設ける。【選択図】図２
0003186772.tif 000002
【実用新案登録請求の範囲】
【請求項１】
ホストコンピュータであり、該ホストコンピュータ内に処理ユニットを設け、また、該処理ユニット内に判断モジュールを含み、該判断モジュール内にデータストレージモジュールを含み、該ホストコンピュータ内に出力/入力装置を設け、該出力/入力装置がタッチスクリーンであり、また、該出力/入力装置は、処理ユニットと電気接続し、該ホストコンピュータ内にコンテキスト切り換えモジュールを設け、該コンテキスト切り換えモジュールがセキュリティモード及びホームモードを含み、また、該コンテキスト切り換えモジュールは、処理ユニットと電気接続し、該ホストコンピュータ内に無線トランシーバモジュールを設け、また、該無線トランシーバモジュールは、処理ユニットと電気接続し、該ホストコンピュータ内にデータ設定判断モジュールを設け、該データ設定判断モジュールが処理ユニットと電気接続し、また、該データ設定判断モジュールは、スケジューリングモジュール及び規則設定モジュールを含み、該ホストコンピュータ内に動作設定モジュールを設け、また、該動作設定モジュールは、データ設定判断モジュールと電気接続し、該処理ユニットが、接続検出モジュールと、設定要求判断モジュールと、パラメータ伝送制御モジュールと、を含むホストコンピュータと、
少なくとも１つのセンサであり、該各センサ内に無線トランシーバモジュールを設け、また、該各センサの無線トランシーバモジュールは、ホストコンピュータの無線トランシーバモジュールと情報を無線伝送し、該各センサ内に処理ユニットを設け、また、該処理ユニット内にデータストレージモジュールを設け、該センサのデータストレージモジュールは、センサの無線トランシーバモジュールと電気接続する少なくとも１つのセンサと、
を含むホームセキュリティ及び省エネルギーを具える無線セキュリティ装置。
【請求項２】
前記処理ユニットのデータストレージモジュール及びセンサのデータストレージモジュールがＲＡＭ、又はフラッシュメモリ、またはその他の不揮発性メモリである請求項１に記載のホームセキュリティ及び省エネルギーを具える無線セキュリティ装置。
【請求項３】
前記ホストコンピュータの無線トランシーバモジュール及び各センサの無線トランシーバモジュールがブルートゥース、又はＺｉｇｂｅｅ、又はその他の無線周波数である請求項１に記載のホームセキュリティ及び省エネルギーを具える無線セキュリティ装置。
【考案の詳細な説明】
【技術分野】
【０００１】
本考案は、ホームセキュリティ及び省エネルギーを具える無線セキュリティ装置に関し、特に、該ホストコンピュータ内にコンテキスト切り換えモジュールを設け、また、該処理ユニット内に判断モジュールを設け、該ホストコンピュータ内にデータ設定判断モジュールを設け、該使用者がデータ設定判断モジュールに動作スケジュールを設定でき、該コンテキスト切り換えモジュール及び判断モジュールによりセンサが設定の動作モードであるかを判断し、使用者が該コンテキスト切り換えモジュールにより動作モードの自身での切り換えを達成でき、使用者が設定した異なる動作モードに基づき、省エネルギー省電力の効果を達成することができるホームセキュリティ及び省エネルギーを具える無線セキュリティ装置に関する。
【背景技術】
【０００２】
一般のセンサセキュリティ装置は、図１に示すように、現在の業界が採用する方式は、ホストコンピュータ１０を提供し、該ホストコンピュータ１０は、一般にパソコン又はノートパソコンであることができ、そのうち、該ホストコンピュータ１０は、入力装置１２、処理ユニット１１、出力装置１３及びセンサ１４を含み、該入力装置１２及び出力装置１３は、それぞれ該処理ユニット１１と電気接続し、また、該入力装置１２は、キーボードであることができ、該出力装置１３は、スクリーンであることができ、該センサ１４は、ホストコンピュータ０と電気接続し、操作者は、該入力装置１２を介し、動作モードパラメータを入力し、センサ１４に検出を行わせ、該出力装置１３によりセンサ１４の監視を達成し、センサ１４に設定した動作モードの動作の目的を達成させることができる。
【０００３】
従来のセンサセキュリティ装置は、設定した動作モードの動作の目的を達成することができるが、操作者が該入力装置を介して手動で動作モードパラメータを入力する必要があるので、その作業速度は、比較的緩慢であり、設定すべきセンサ１４の数量が多い時、更に人力及び時間を消費し、また、この設定作業は、通常、関連ネットワークの専門知識を具える操作者が行う必要があり、一般の使用者は、自身で処理し、トラブルを解消することができず、設定速度が緩慢になり、使用上の不便を招く、また、該操作者が動作モードを設定した後、操作者は、随時、ホストコンピュータ１０を監視制御することができない時、該センサ１４は、検出エラー、誤判断発生の状況を招くので、改善の必要がある。
【０００４】
上記欠陥を如何に取り除くかは、本考案者が解決を欲する技術的難点の所在となっている。
【先行技術文献】
【特許文献】
【０００５】
【特許文献１】特開２０１３−１０６３０７号公報
【考案の概要】
【考案が解決しようとする課題】
【０００６】
現有のセンサセキュリティ装置において、操作者が動作モードを設定した後、動作モードを切り換えることができず、センサが検出エラー、誤判断の発生を起こすという欠陥に鑑み、本考案の目的は、該ホストコンピュータ内にコンテキスト切り換えモジュールを設け、また、該処理ユニット内に判断モジュールを設け、該ホストコンピュータ内にデータ設定判断モジュールを設け、該使用者がデータ設定判断モジュールに動作スケジュールを設定でき、該コンテキスト切り換えモジュール及び判断モジュールによりセンサが設定の動作モードであるかを判断し、使用者が該コンテキスト切り換えモジュールにより動作モードの自身での切り換えを達成でき、使用者が設定した異なる動作モードに基づき、省エネルギー省電力の効果を達成することができるホームセキュリティ及び省エネルギーを具える無線セキュリティ装置を提供することにある。
【課題を解決するための手段】
【０００７】
上記の目的を達成する為、本考案が提供するホームセキュリティ及び省エネルギーを具える無線セキュリティ装置は、以下を含む。
【０００８】
ホストコンピュータであり、該ホストコンピュータ内に処理ユニットを設け、また、該処理ユニット内に判断モジュールを含み、該判断モジュール内にデータストレージモジュールを含み、該ホストコンピュータ内に出力/入力装置を設け、また、該出力/入力装置は、処理ユニットと電気接続することができ、該ホストコンピュータ内にコンテキスト切り換えモジュールを設け、また、該コンテキスト切り換えモジュールは、処理ユニットと電気接続することができ、該ホストコンピュータ内に無線トランシーバモジュールを設け、また、該無線トランシーバモジュールは、処理ユニットと電気接続でき、該ホストコンピュータ内にデータ設定判断モジュールを設け、また、該データ設定判断モジュールは、処理ユニットと電気接続でき、該ホストコンピュータ内に動作設定モジュールを設け、また、該動作設定モジュールは、データ設定判断モジュールと電気接続することができる。
【０００９】
少なくとも１つのセンサであり、該各センサ内に無線トランシーバモジュールを設け、また、該各センサの無線トランシーバモジュールは、ホストコンピュータの無線トランシーバモジュールと情報を無線伝送することができ、該各センサ内に処理ユニットを設け、また、該処理ユニット内にデータストレージモジュールを設け、該データストレージモジュールは、センサの無線トランシーバモジュールと電気接続することができる。
【考案の効果】
【００１０】
本考案が提供するホームセキュリティ及び省エネルギーを具える無線セキュリティ装置は、該ホストコンピュータ内にコンテキスト切り換えモジュールを設け、また、該処理ユニット内に判断モジュールを設け、該ホストコンピュータ内にデータ設定判断モジュールを設け、該使用者がデータ設定判断モジュールに動作スケジュールを設定でき、該コンテキスト切り換えモジュール及び判断モジュールによりセンサが設定の動作モードであるかを判断し、使用者が該コンテキスト切り換えモジュールにより動作モードの自身での切り換えを達成でき、使用者が設定した異なる動作モードに基づき、省エネルギー省電力の効果を達成することができる。
【図面の簡単な説明】
【００１１】
【図１】従来のブロック説明図である。
【図２】本考案のブロック説明図である。
【図３】本考案のコンテキスト切り換えモジュールのフロー説明図である。
【図４】本考案の第１実施例のブロックフロー説明図である。
【図５】本考案の第２実施例のブロックフロー説明図である。
【図６】本考案の処理ユニットのブロック説明図である。
【考案を実施するための形態】
【００１２】
図２に示すように、本考案が提供するホームセキュリティ及び省エネルギーを具える無線セキュリティ装置は、以下を含む。
【００１３】
ホストコンピュータ２０であり、該ホストコンピュータ２０内に処理ユニット２１を設け、また、該処理ユニット２１内に判断モジュール２１１を含み、該判断モジュール２１１内にデータストレージモジュール２１２を含み、該処理ユニット２１のデータストレージモジュール２１２は、ＲＡＭ（Random Access Memory）、又はフラッシュメモリ（Flash Memory）、又はその他の不揮発性メモリ (Non-Volatile Memory)であることができ、また、該ホストコンピュータ２０内に出力/入力装置２３を設け、また、該出力/入力装置２３は、タッチ制御式スクリーンであることができ、また、該出力/入力装置２３は、処理ユニット２１と電気接続することができ、該ホストコンピュータ２０内にコンテキスト切り換えモジュール２２を設け、また、該コンテキスト切り換えモジュール２２は、処理ユニット２１と電気接続することができ、該コンテキスト切り換えモジュール２２は、セキュリティモード２２１及びホームモード２２２を含み、また、該ホストコンピュータ２０は、無線トランシーバモジュール２６を設け、該無線トランシーバモジュール２６は、ブルートゥース（bluetooth）、又はZigbee、又はその他の無線周波数（Radio Frequency，RF）であることができ、また、該無線トランシーバモジュール２６は、処理ユニット２１と電気接続し、該ホストコンピュータ２０内にデータ設定判断モジュール２４を設け、また、該データ設定判断モジュール２４は、スケジューリングモジュール２４１及び規則設定モジュール２４２を含み、また、該スケジューリングモジュール２４１及び規則設定モジュール２４２は、それぞれ使用者自身にスケジュール、及びトリガ規則を設定させることができ、該データ設定判断モジュール２４は、処理ユニット２１と電気接続でき、また、該ホストコンピュータ２０内に動作設定モジュール２５を設け、また、該動作設定モジュール２５は、データ設定判断モジュール２４と電気接続することができ、また、該動作設定モジュール２５は、有線ネットワーク、又は無線ネットワーク、又はショートメッセージ、又は電話音声、又はＥ−ｍａｉｌ、又は警報器、又は電子電源オフオン装置を含むことができる。
【００１４】
少なくとも１つのセンサ３０であり、該各センサ３０内に無線トランシーバモジュール３３を設け、また、該各センサ３０の無線トランシーバモジュール３３は、ホストコンピュータ２０の無線トランシーバモジュール２６と情報を無線伝送することができ、該各センサ３０内に処理ユニット３１を設け、また、該処理ユニット３１内にデータストレージモジュール３２を設け、該データストレージモジュール３２は、センサ３０の無線トランシーバモジュール３３と電気接続することができ、また、該データストレージモジュール３２は、ＲＡＭ（Random Access Memory）、又はフラッシュメモリ（Flash Memory）、又はその他の不揮発性メモリ (Non-Volatile Memory)であることができ、また、該各センサ３０は、それぞれ外部電子装置と接続し、外部電子装置を検出し、制御する効果を達成することができる。
【００１５】
図３を参照し、それは、本考案のコンテキスト切り換えモジュール２２の動作後のフロー説明図であり、該コンテキスト切り換えモジュール２２内にセキュリティモード２２１及びホームモード２２２を設け、使用者が自身でコンテキスト切り換えモジュール２２を操作して便利に切り換える効果を達成でき、図４に示すように、使用者は、本考案を屋内に安置する時、使用者は、該コンテキスト切り換えモジュール２２をセキュリティモード２２１に切り換え、該コンテキスト切り換えモジュール２２が信号を処理ユニット２１の判断モジュール２１１内に伝送し、判断モジュール２２１は、該センサ３０がセキュリティモード２２１に適合しているかを検出判断して、トリガを検出することができ、該センサ３０がトリガを検出すると、即ち、人が動くのを検出すると、これにより、該センサ３０が信号を判断モジュール２１１に伝送し、該判断モジュール２１１が信号を動作設定モジュール２５に伝送し、該動作設定モジュール２５に使用者が設定した有線ネットワーク、又は無線ネットワーク、又はショートメッセージ、又は電話音声、又はＥｍａｉｌ、又は警報器を触発し、動作信号を発送し、使用者を警告させ、反対に、該センサ３０がトリガを検出しない場合、該センサ３０は、信号を発し、処理ユニット２１の判断モジュール２１１に検出を持続するよう告知し、ホームセキュリティの目的を達成し、また、図５に示すように、使用者が該コンテキスト切り換えモジュール２２をホームモード２２２に切り換える時、該コンテキスト切り換えモジュール２２は、信号を処理ユニット２１の判断モジュール２１１に伝送し、判断モジュール２１１にセンサ３０がホームモード２２２に適合しているかを検出判断してトリガを検出させることができ、従って、センサ３０がトリガの検出した場合、即ち、人の動きを検出する時、該センサ３０は、信号を判断モジュール２１１に伝送して判断して該判断モジュール２１１に該センサ３０の検出を持続させることができ、該センサがトリガを検出しない場合、該センサ３０は、該判断モジュール２１１を介し、信号をデータ設定判断モジュール２４に発し、該データ設定判断モジュール２４内のスケジューリングモジュール２４１及び規則設定モジュール２４２がそれぞれ使用者自身にスケジュール、及びトリガ規則を設定させることにより、使用者に異なるスケジュール及び異なるトリガ規則を自身で設定する効果を達成することができ、従って、センサ３０が検出せず、且つ時間及びデータ設定判断モジュール２４内のスケジューリングモジュール２４１及び規則設定モジュール２４２が使用者の設定したスケジュール及びトリガ規則と適合する時、該データ設定判断モジュール２４は、信号を動作設定モジュール２５に発送し、該データ設定モジュール２４に使用者が設定した有線ネットワーク、又は無線ネットワーク、又はショートメッセージ、又は電話音声、又はＥｍａｉｌ、又は警報器を触発し、動作信号を発送し、使用者を警告し、反対に、該センサ３０がトリガを検出しておらず、且つ時間及びデータ設定判断モジュール２４内部のスケジュール設定モジュール２４１及び規則設定モジュール２４２が使用者の設定したスケジュール又はトリガ規則と適合しない場合、該データ設定判断モジュール２４が信号を伝送し、該判断モジュール２１１に検出を持続させ、従って、使用者は、該コンテキスト切り換えモジュール２２を介して自身で異なる検出モードの切り替えを達成し、ホームセキュリティ、又はセキュリティの効果を達成し、センサ３０の誤判断及び省エネルギーの効果を達成し、また、該データ設定判断モジュール２４内に電子電源オン/オフ装置を含み、該センサ３０は、外部の電子装置と接続制御することができ、従って、該センサ３０の検出及びデータ設定判断モジュール２４内のスケジュール及びトリガ規則の設定にとり外部電子装置のオン又はオフの効果を達成することができ、更に、省エネルギーの効果の向上を達成する。
【００１６】
また、図６に示すように、本考案の処理ユニット２１内に接続検出モジュール２１３と、設定要求判断モジュール２１４と、パラメータ伝送制御モジュール２１５と、を含み、該接続検出モジュール２１３にセンサ３０がホストコンピュータ２０と接続しているかを検出させることができ、該接続検出モジュール２１３がセンサ３０とホストコンピュータ２０が接続していることを検出する時、該設定要求判断モジュール２１４は、該センサ３０のデータストレージモジュール３２内に元々有する接続パラメータデータを読み取ることができ、該センサ３０が接続パラメータの設定作業を行う必要があるかを判断し、例えば、これは、全自動化されたプログラムであり、また、先ずホストコンピュータ２０が該出力/入力装置２３に確認信号又は確認ランプを表示し、使用者が該出力/入力装置２３を介して、関連した指令を入力し、該センサ３０が接続パラメータの設定を行う必要があることを表示確認し、例えば、これは、半自動化したプログラムであり、該設定要求判断モジュール２１４が、該センサ３０が接続パラメータの設定を行う必要があると判断する時、該パラメータ伝送制御モジュール２１５は、該処理ユニット２１のデータストレージモジュール２１２内に保存した接続パラメータ設定データを該センサ３０のデータストレージモジュール３２に伝送するように設計することもでき、同様に、この接続パラメータの伝送作業は、前記と同じ原理に基づき、全自動化又は自動化したプログラムに設計することもでき、更に、本考案に該センサ３０の接続パラメータを設定する目的を達成させることができ、従って、該ホストコンピュータ２０の処理ユニット２１内にパラメータ設定データを保存し、また、該ホストコンピュータ２０の処理ユニット２１内に接続検出モジュール２１３、設定要求判断モジュール２１４及びパラメータ伝送制御モジュール２１５を含み、該ホストコンピュータ２０に自動又は半自動の方式でセンサ３０に対し、接続パラメータの設定作業を行わせることができ、作業速度を大幅に向上し、設定に要する時間を節約することができ、本考案に迅速な設定及び使用利便性の増加の効果を達成させることができる。
【符号の説明】
【００１７】
[従来技術]
１０  ホストコンピュータ
１１  処理ユニット
１２  入力装置
１３  出力装置
１４  センサ
[本考案]
２０  ホストコンピュータ
２１  処理ユニット
２１１  判断モジュール
２１２  データストレージモジュール
２１３  接続検出モジュール
２１４  設定要求判断モジュール
２１５  パラメータ伝送制御モジュール
２２  コンテキスト切り換えモジュール
２２１  セキュリティモード
２２２  ホームモード
２３  出力/入力装置
２４  データ設定判断モジュール
２４１  スケジューリングモジュール
２４２  規則設定モジュール
２５  動作設定モジュール
２６  無線トランシーバモジュール
３０  センサ
３１  処理ユニット
３２  データストレージモジュール
３３  無線トランシーバモジュール
【図１】
0003186772.tif 000003
【図２】
0003186772.tif 000004
【図３】
0003186772.tif 000005
【図４】
0003186772.tif 000006
【図５】
0003186772.tif 000007
【図６】
0003186772.tif 000008